(57)【要約】【課題】  工作機械の盤内の諸要素のアラーム情報等を容易に集中管理できる数値制御装置。【解決手段】  工作機械の制御盤１内の強電盤１０内には、故障検出アラーム信号を出力するリレー１、低電圧アラーム信号を出力するバッテリ１、回転停止又は回転数低下アラーム信号と回転数を示すステータス信号を出力するファンモータ１、周囲温度の計測結果を表わすステータス信号を出力する温度計１等が実装される。各要素に無線タグが装備され、アラーム信号／ステータス信号を一旦記憶し、無線信号で発信する。受信デバイスで受信された無線信号は数値制御装置１内に取り込まれ、アラーム発生時にはアラーム発生要因（箇所）の情報が表示され、ブザー（またはスピーカ）４が鳴らされる。ステータス情報は、定常的に表示される。【選択図】          図１
2006209483.tif 000002
【特許請求の範囲】
【請求項１】
アラーム情報またはステータス情報の少なくとも一方を出力する複数の要素が実装されて成る工作機械の強電盤と接続される数値制御装置において、
前記複数の要素の各々に接続され、アラーム情報またはステータス情報の少なくとも一方を記憶する無線タグと、
前記無線タグから送信される情報を受信する受信手段と、
前記受信手段と接続され、前記受信手段が受信した情報に基づいて前記工作機械の強電盤の状態を管理する管理手段とを有することを特徴とする数値制御装置。
【請求項２】
前記複数の要素はリレー、バッテリ、ファンモータ、センサの何れかを含むことを特徴とする、請求項１に記載の数値制御装置。
【請求項３】
前記工作機械の強電盤の状態を表示する表示手段を有することを特徴とする、請求項１または請求項２に記載の数値制御装置。
【発明の詳細な説明】
【技術分野】
【０００１】
本発明は工作機械の数値制御装置に関し、更に詳しく言えば、工作機械の盤内の諸要素のアラーム情報等を集中管理できるようにした数値制御装置に関する。
【背景技術】
【０００２】
周知のように、工作機械の盤内には、リレー、ファンモータ、バッテリ等、様々な要素（「部品」と呼ばれることもある）が実装されている。工作機械の盤内で故障が発生した場合、その故障個所（部品）の速やかな特定には要素に関連するアラーム情報を集中管理できることが望ましい。しかし、実際の盤内では要素のアラーム情報を集中管理するといった考えはなく、要素のアラーム情報は盤内に分散されているのが実情で、諸要素のアラーム情報を集中管理する発明を開示した公知文献は見当らない。従来より、要素のアラーム情報を個別に得るという手法は知られているが、もしもそれを拡張して多くの要素のアラーム情報等の集中管理を実現しようとすると、それら要素のすべてを有線で結合しなくてはならなくなり、盤内配線が煩雑になることやコスト高の問題で実現が難しかった。
【発明の開示】
【発明が解決しようとする課題】
【０００３】
そこで本発明の目的は、工作機械の盤内の諸要素（諸部品）の集中管理を低コスト、省労力で行える数値制御装置を提供し、故障個所の特定を容易にすること、また、そのことを通してダウンタイムを縮減することにある。
【課題を解決するための手段】
【０００４】
本発明は、工作機械の盤内の各要素を無線タグにつなぎ、アラーム情報あるいはステータス情報（少なくとも一方）を記憶し、それを無線で数値制御装置に通知する方式を採用することにより、上記課題を解決するものである。
【０００５】
より具体的に言えば、本発明に係る数値制御装置は、アラーム情報またはステータス情報の少なくとも一方を出力する複数の要素が実装されて成る工作機械の強電盤と接続されており、前記複数の要素の各々に接続され、アラーム情報またはステータス情報の少なくとも一方を記憶する無線タグと、前記無線タグからの送信される情報を受信する受信手段と、前記受信手段と接続され、前記受信手段が受信した情報に基づいて前記工作機械の強電盤の状態を管理する管理手段とを有している（請求項１）。
【０００６】
ここで、前記複数の要素には、リレー、ファンモータ、バッテリ、センサ要素の何れかを含ませることができる（請求項２）。また、前記工作機械の強電盤の状態を表示する表示手段を設けることが好ましい（請求項３）。
【発明の効果】
【０００７】
本発明によれば、各要素に関するアラーム情報あるいはステータス情報が無線タグを介して無線で数値制御装置に通知されるので、数値制御装置で盤内要素の集中管理を省労力で行うことができる。また、煩雑な盤内配線も不要でコスト上も有利である。
【発明を実施するための最良の形態】
【０００８】
図１は本発明の実施形態について説明する図で、工作機械の制御盤内の要部構成が記されている。工作機械は切削、穿孔等任意の加工を行うもので良い。制御盤全体は符号１で示されており、同制御盤１には数値制御装置２とともに強電盤１０が組み込まれ、両者は周知の態様で電気的に接続されている。強電盤１０内には、故障検出アラーム信号を出力するリレー、低電圧アラーム信号を出力するバッテリ、回転停止又は回転数低下アラーム信号と回転数を示すステータス信号を出力するファンモータ、及び、周囲の温度を計測し、計測結果を表わすステータス信号を出力する温度計が分散して実装されている。なお、温度計はセンサ要素の一例であり、温度計に加えて、あるいは、温度計に代えて、他のセンサ要素、例えば振動センサ、煙センサ等が配置される場合もある。
【０００９】
これら要素はそれぞれ複数個配置されることも多く、図１中１では、それら複数個の内の１つを代表させる趣旨で末尾符号１を付して描示した。実際の配置においては、例えば、リレー４個、バッテリ２個、ファンモータ４個、温度計１個を使用する場合、リレー１、リレー２、リレー３、リレー４、リレー５、バッテリ１、バッテリ２、ファンモータ１、ファンモータ２、ファンモータ３、ファンモータ４、温度計１の如く、各要素が所要個数、所要箇所に配置される。  
なお、アラーム信号及び／またはステータス信号を出力するリレー、バッテリ、ファンモータ、温度計等の要素自体は周知であり、個々の構成については説明を省く。
【００１０】
上記した各要素、即ち、リレー、バッテリ、ファンモータ、及び、温度計にはそれぞれ無線タグが装備されている。無線タグ自体はメモリ機能、無線信号発信機能等を備えた周知のデバイスであり、各無線タグは、当該無線タグに対応する要素（リレー、バッテリ、ファンモータあるいは温度計）が出力するアラーム信号及び／またはステータス信号を一旦記憶するとともに、記憶内容を所定周期で無線信号に変換して発信する。
【００１１】
発信された無線信号は、数値制御装置２に接続された受信デバイスで受信され、数値制御装置２に取り込まれる。数値制御装置２は、通常の制御（加工プログラムに基づく工作機械の各軸制御等）に加えて、諸要素のアラーム情報やステータス情報を集中管理する機能を有している。即ち、受信デバイスを介して数値制御装置２内に取り込まれた各要素のアラーム信号やステータス信号は、ソフトウェア処理により逐次内部メモリに記憶され、また、その全部あるいは一部が、付設された表示部（例えば液晶表示パネル）３上に表示される。
【００１２】
表示内容には種々の態様があり得るが、アラーム発生時には、必ずアラーム発生要因（箇所）の情報を表示する。また、ステータス情報については、１画面で同時に、あるいは、経時的な画面切替を繰り返して表示することが好ましい。図１においては、表示例として、「バッテリ１で低電圧アラームが発生」というアラーム情報と、「ファンモータ１の回転数は８００３ｒｐｍ、盤内温度は４５℃」というステータス情報の表示がなされた状態が示されており、ステータス情報については例えば３秒間維持された後、「ファンモータ２の回転数は７８５５ｒｐｍ、盤内温度は４６℃」といったような表示に切り替わる。
【００１３】
また、数値制御装置２には、ブザー（またはスピーカ）４が付設されており、アラーム信号を受けた時には警報音（ブザー音）によりアラーム発生を報知する。図示されている表示例の状態では、当然、警報音（ブザー音）が鳴り響き、作業者は遠くにいてもアラーム発生を知ることができる。表示部３上のアラーム情報の表示についても、赤色表示、点滅表示等を行うことができる。
【００１４】
このようにして、作業者はアラーム発生をブザー音（あるいは画面の点滅表示等の視認）で知ることになるが、その際、画面に表示された内容からアラーム要因を判断し、所要の装置をとることができる。上記の表示例のケースであれば、バッテリ１で低電圧アラームが発生していることを知り、機械の電源オフ、バッテリ１の交換等の処置をとる。
【００１５】
リレー、ファンモータについてもアラーム発生時には同様にブザー（またはスピーカ）４が鳴り、アラーム要因が表示部３に表示される。
【図面の簡単な説明】
【００１６】
【図１】本発明の実施形態について説明する図である。
【符号の説明】
【００１７】
１  制御盤
２  数値制御装置
３  表示部
４  ブザー（またはスピーカ）
１０  強電盤
【図１】
2006209483.tif 000003